(57)【要約】【課題】接続構造の設計変更なく、用いる同軸コネクタの規格を変更することが可能な同軸コネクタと取付対象との接続構造を提供する。【解決手段】本発明に係る接続構造は、同軸接続部材が接続される接続部と、取付対象２の取付部２Ｐに当接され、複数のネジ穴を有するフランジ部と、接続部内から軸方向に延びて外部に一部が突出した中心導体とを備えた同軸コネクタと、同軸コネクタの中心導体の突出部が挿入される導体挿入孔５１と、同軸コネクタの複数のネジ穴に対応形成された複数のネジ穴５２とを有する取付対象２との接続構造である。取付対象２には、複数のネジ穴５２として、複数規格の同軸コネクタのネジ穴に対応した複数規格のネジ穴５２Ｘ、５２Ｙが設けられている。【選択図】図３Ｂ
2012230765.tif 000002
【特許請求の範囲】
【請求項１】
同軸接続部材が接続される接続部と、取付対象の取付部に当接され、複数のネジ穴を有するフランジ部と、前記接続部内から軸方向に延びて外部に一部が突出した中心導体とを備えた同軸コネクタと、
前記同軸コネクタの前記中心導体の突出部が挿入される導体挿入孔と、前記同軸コネクタの前記複数のネジ穴に対応形成された複数のネジ穴とを有する取付対象との接続構造であって、
前記取付対象に、前記複数のネジ穴として、複数規格の前記同軸コネクタの前記ネジ穴に対応した複数規格のネジ穴が設けられた接続構造。
【発明の詳細な説明】
【技術分野】
【０００１】
本発明は、同軸コネクタと取付対象との接続構造に関するものである。
【背景技術】
【０００２】
携帯電話の普及に伴い、サービスエリアの網羅的な確保の観点から、将来の移動体通信方式であるIMT-Advanced(4G)用基地局装置についても、従来のセルラ方式で使用されている基地局装置と同様の形態にて多数設置されると考えられる。基地局装置には、小型軽量化、省電力化、及び低コスト化等が求められている。
【０００３】
基地局装置は、送信増幅器、受信増幅器、送受共用器(DUP)、変復調器、制御器、及びアンテナ等から概略構成される。一般に、送信増幅器の筺体と送受共用器(DUP)の筺体とは、一対の高周波コネクタ等の同軸コネクタを介して直接接続される。
【０００４】
同軸コネクタは、同軸コネクタ又は同軸ケーブル等の同軸接続部材が接続可能な接続部と、複数のネジ穴を有するフランジ部と、接続部内から軸方向に延びて外部に一部が突出した中心導体とを備えている。同軸コネクタの上記複数のネジ穴は、規格によって開口径及び開口ピッチが決まっている。
【０００５】
同軸コネクタの構造、及び従来の同軸コネクタの電子機器の筺体への接続構造については、特許文献１の図１等に記載されている。
【０００６】
例えば、送信増幅器側に図６Ａ及び図６Ｂに示す第１のPO(F)型同軸コネクタ１０１Ｘ（ヒロセ電機社製PO(F)-PR-2(5.9)）を使用する場合、送受共用器(DUP)側には図７Ａ及び図７Ｂに示す第２のPO(F)型同軸コネクタ１０１Ｙ（ヒロセ電機社製PO(F)-R-2(17.6)）が使用される。
図６Ａは第１のPO(F)型同軸コネクタ１０１Ｘの上面図であり、図６Ｂは側面図である。図７Ａは第２のPO(F)型同軸コネクタ１０１Ｙの上面図であり、図７Ｂは同側面図である。これらの図には、寸法（単位はｍｍ）を図示してある。
【０００７】
図６Ａ及び図６Ｂに示す第１のPO(F)型同軸コネクタ１０１Ｘは、同軸コネクタ又は同軸ケーブル等の同軸接続部材（図示略）が接続される接続部１１０Ｘと、複数のネジ穴１２１Ｘを有するフランジ部１２０Ｘと、接続部１１０Ｘ内から軸方向に延びて外部に一部が突出した中心導体１３０Ｘとを備えている。
【０００８】
図７Ａ及び図７Ｂに示す第２のPO(F)型同軸コネクタ１０１Ｙは、同軸コネクタ又は同軸ケーブル等の同軸接続部材（図示略）が接続される接続部１１０Ｙと、複数のネジ穴１２１Ｙを有するフランジ部１２０Ｙと、接続部１１０Ｙ内から軸方向に延びて外部に一部が突出した中心導体１３０Ｙとを備えている。図７Ｂ中の符号１６０は着脱可能な保護部材である。
【０００９】
図示するように、第１のPO(F)型同軸コネクタ１０１Ｘと第２のPO(F)型同軸コネクタ１０１Ｙはいずれもフランジ部１２０Ｘ、１２０Ｙが略正方形状であり、その四隅に複数のネジ穴１２１Ｘ、１２１Ｙが開口されている。
ネジ穴１２１Ｘとネジ穴１２１Ｙの開口径と開口ピッチは同一である。
【００１０】
図８に示すように、第２のPO(F)型同軸コネクタ１０１Ｙの保護部材１６０を外した状態で、第１のPO(F)型同軸コネクタ１０１Ｘと第２のPO(F)型同軸コネクタ１０１Ｙとを互いに嵌合することができる。
【００１１】
図９Ａ及び図９Ｂを参照して、送信増幅器の筺体と第１のPO(F)型同軸コネクタ１０１Ｘとの接続構造について説明する。送受共用器(DUP)の筺体と第２のPO(F)型同軸コネクタ１０１Ｙとの接続構造も同様である。図９Ａは取付対象の平面図であり、図９Ｂは図９Ａの部分拡大図である。
【００１２】
図９Ａ及び図９Ｂに示すように、取付対象１０２の取付部１０２Ｐには、第１のPO(F)型同軸コネクタ１０１Ｘの中心導体１３０Ｘの突出部が挿入される導体挿入孔１５１と、同軸コネクタ１０１Ｘの複数のネジ穴１２１Ｘに対応形成された複数のネジ穴１５２とが形成されている。
【００１３】
取付対象１０２の取付部１０２Ｐに第１のPO(F)型同軸コネクタ１０１Ｘを嵌合させ、互いに対向する第１のPO(F)型同軸コネクタ１０１Ｘのネジ穴１２１Ｘと取付対象１０２のネジ穴１５２とをネジ部材（図示略）で固定することで、取付対象１０２への第１のPO(F)型同軸コネクタ１０１Ｘの接続が完了する。
【先行技術文献】
【特許文献】
【００１４】
【特許文献１】特開平09-129316号公報
【発明の概要】
【発明が解決しようとする課題】
【００１５】
従来の接続構造では、用いる同軸コネクタの規格に合わせて、取付対象に開口するネジ穴の開口パターンが設計されている。
そのため、従来の接続構造では、送信増幅器の筺体と送受共用器(DUP)の筺体との接続に用いる一対の同軸コネクタの規格を変更する場合、あるいは送信増幅器の筺体と送受共用器(DUP)の筺体との間に他の規格の同軸ケーブル等を用いる場合などには、送信増幅器の筺体あるいは送受共用器(DUP)の筺体と同軸コネクタとの接続構造を設計し直す必要があり、規格変更にかかる作業時間と作業コストが増加する。
【００１６】
本発明は上記事情に鑑みてなされたものであり、接続構造の設計変更なく、用いる同軸コネクタの規格を変更することが可能な同軸コネクタと取付対象との接続構造を提供することを目的とするものである。
【課題を解決するための手段】
【００１７】
本発明の接続構造は、
同軸接続部材が接続される接続部と、取付対象の取付部に当接され、複数のネジ穴を有するフランジ部と、前記接続部内から軸方向に延びて外部に一部が突出した中心導体とを備えた同軸コネクタと、
前記同軸コネクタの前記中心導体の突出部が挿入される導体挿入孔と、前記同軸コネクタの前記複数のネジ穴に対応形成された複数のネジ穴とを有する取付対象との接続構造であって、
前記取付対象に、前記複数のネジ穴として、複数規格の前記同軸コネクタの前記ネジ穴に対応した複数規格のネジ穴が設けられたものである。
【００１８】
「同軸接続部材」としては、同軸コネクタ及び同軸ケーブル等が挙げられる。
本明細書において、「規格が異なる同軸コネクタ／ネジ穴」とは、ネジ穴の開口径、開口ピッチ、及び開口位置の少なくとも１つが異なる同軸コネクタである。
【発明の効果】
【００１９】
本発明によれば、接続構造の設計変更なく、用いる同軸コネクタの規格を変更することが可能な同軸コネクタと取付対象との接続構造を提供することができる。
【図面の簡単な説明】
【００２０】
【図１Ａ】PO(F)型同軸コネクタの上面図である。
【図１Ｂ】図１ＡのPO(F)型同軸コネクタの側面図である。
【図２Ａ】SMA型同軸コネクタの上面図である。
【図２Ｂ】図２ＡのSMA型同軸コネクタの上面図である。
【図３Ａ】本発明に係る一実施形態の接続構造における取付対象の平面図である。
【図３Ｂ】図３Ａの部分拡大図である。
【図４Ａ】設計変更例を示す平面図である。
【図４Ｂ】図４Ａの部分拡大図である。
【図５Ａ】その他の設計変更例を示す平面図である。
【図５Ｂ】図５Ａの部分拡大図である。
【図６Ａ】第１のPO(F)型同軸コネクタの上面図である。
【図６Ｂ】図６ＡのPO(F)型同軸コネクタの側面図である。
【図７Ａ】第２のPO(F)型同軸コネクタの上面図である。
【図７Ｂ】図７ＡのSMA型同軸コネクタの上面図である。
【図８】第１のPO(F)型同軸コネクタと第２のPO(F)型同軸コネクタとの嵌合の様子を示す側面図である。
【図９Ａ】従来の接続構造における取付対象の平面図である。
【図９Ｂ】図９Ａの部分拡大図である。
【発明を実施するための形態】
【００２１】
図面を参照して、本発明に係る一実施形態の同軸コネクタと取付対象との接続構造について説明する。
本実施形態では、送信増幅器の筺体と送受共用器(DUP)の筺体とを一対の同軸コネクタを介して接続する基地局装置を例として説明する。
本実施形態では、送信増幅器の筺体と一方の同軸コネクタとの接続構造について説明する。本実施形態は、送受共用器(DUP)の筺体と他方の同軸コネクタとの接続構造にも同様に適用できる。
本実施形態では、同軸コネクタの取付対象が送信増幅器の筺体であり、２種類の規格の同軸コネクタのうちいずれかを選択して接続可能な同軸コネクタと取付対象との接続構造について説明する。
【００２２】
本実施形態では、２種類の規格の同軸コネクタとして、図１Ａ及び図１Ｂに示すPO(F)型同軸コネクタ１Ｘ（ヒロセ電機社製PO(F)-PR-2(5.9)）、及び図２Ａ及び図２Ｂに示すSMA型同軸コネクタ１Ｙ（ヒロセ電機社製HRM(G)-300-433S(01)）を例に挙げて説明する。
図１ＡはPO(F)型同軸コネクタ１Ｘの上面図であり、図１Ｂは同側面図である。図２ＡはSMA型同軸コネクタ１Ｙの上面図であり、図２Ｂは同側面図である。これらの図には、寸法（単位はｍｍ）を図示してある。図３Ａは取付対象の平面図であり、図３Ｂは図３Ａの部分拡大図である。
【００２３】
図１Ａ及び図１Ｂに示すPO(F)型同軸コネクタ１Ｘは、同軸コネクタ又は同軸ケーブル等の同軸接続部材（図示略）が接続される接続部１０Ｘと、複数のネジ穴２１Ｘを有するフランジ部２０Ｘと、接続部１０Ｘ内から軸方向に延びて外部に一部が突出した中心導体３０Ｘとを備えている。中心導体３０Ｘの周りには絶縁体（図示略）が設けられており、中心導体３０Ｘの一部分と絶縁体の大部分が管状のスリーブ４０Ｘ内に収容され、スリーブ４０Ｘが接続部１０Ｘとフランジ部２０Ｘとからなるシェルに嵌合されている。スリーブ４０Ｘ内の絶縁体は若干スリーブ４０Ｘより外部に突出している（図示略）。
【００２４】
図２Ａ及び図２Ｂに示すSMA型同軸コネクタ１Ｙは、同軸コネクタ又は同軸ケーブル等の同軸接続部材（図示略）が接続される接続部１０Ｙと、複数のネジ穴２１Ｙを有するフランジ部２０Ｙと、接続部１０Ｙ内から軸方向に延びて外部に一部が突出した中心導体３０Ｙとを備えている。中心導体３０Ｙの周りには絶縁体（図示略）が設けられており、中心導体３０Ｙの一部分と絶縁体の大部分が管状のスリーブ４０Ｙ内に収容され、スリーブ４０Ｙが接続部１０Ｙとフランジ部２０Ｙとからなるシェルに嵌合されている。スリーブ４０Ｙ内の絶縁体は若干スリーブ４０Ｙより外部に突出している（図示略）。
【００２５】
図示するように、PO(F)型同軸コネクタ１Ｘのフランジ部２０Ｘは略正方形状であり、その四隅に計４個のネジ穴２１Ｘが開口されている。同様に、SMA型同軸コネクタ１Ｙについても、フランジ部２０Ｙは略正方形状であり、その四隅に計４個のネジ穴２１Ｙが開口されている。
PO(F)型同軸コネクタ１Ｘのフランジ部２０Ｘの外径寸法は１５ｍｍ×１５ｍｍであり、SMA型同軸コネクタ１Ｙのフランジ部２０Ｙの外径は１２．７ｍｍ×１２．７ｍｍである。
PO(F)型同軸コネクタ１Ｘのネジ穴２１Ｘと、SMA型同軸コネクタ１Ｙのネジ穴２１Ｙの開口径はいずれも２．６ｍｍφと同一である。
PO(F)型同軸コネクタ１Ｘのネジ穴２１Ｘのピッチは１０．５ｍｍであり、SMA型同軸コネクタ１Ｙのネジ穴２１Ｙのピッチは８．６ｍｍである。
【００２６】
図３Ａ及び図３Ｂに示すように、取付対象２の取付部２Ｐには、同軸コネクタ１Ｘ、１Ｙの中心導体３０Ｘ、３０Ｙの突出部が挿入される導体挿入孔５１と、同軸コネクタ１Ｘ、１Ｙの複数のネジ穴２１Ｘ、２１Ｙに対応形成された複数のネジ穴５２Ｘ、５２Ｙとが形成されている。
本実施形態において、取付対象２の取付部２Ｐには、複数のネジ穴５２として、PO(F)型同軸コネクタ１Ｘの複数のネジ穴２１Ｘに対応した複数のネジ穴５２Ｘと、SMA型同軸コネクタ１Ｙのネジ穴２１Ｙに対応した複数のネジ穴５２Ｙとが形成されている。
図３Ａ及び図３Ｂに示す例では、取付対象２の取付部２Ｐの四隅に計４個のネジ穴５２Ｘが形成されており、導体挿入孔５１と互いに隣接する２個のネジ穴５２Ｘとの間にネジ穴５２Ｙが形成されている。導体挿入孔５１とネジ穴５２Ｘとを結ぶ仮想線Ｌと、導体挿入孔５１とネジ穴５２Ｙとを結ぶ仮想線Ｍとは、約４５°ずれている。
図中、符号５３はスリーブ４０Ｘ、４０Ｙ内の絶縁体（図示略）が当接する絶縁体当接部である。
【００２７】
取付対象２には、PO(F)型同軸コネクタ１Ｘの規格に対応した複数のネジ穴５２Ｘと、SMA型同軸コネクタ１Ｙの規格に対応した複数のネジ穴５２Ｙとが形成されているので、取付対象２には、PO(F)型同軸コネクタ１ＸとSMA型同軸コネクタ１Ｙとのうちいずれかを選択して取り付けることができ、いったん取り付けた同軸コネクタの規格を変更することも可能である。
【００２８】
例えば、取付対象２にPO(F)型同軸コネクタ１Ｘを取り付ける場合、取付対象２にPO(F)型同軸コネクタ１Ｘを嵌合させ、互いに対向するPO(F)型同軸コネクタ１Ｘのネジ穴２１Ｘと取付対象２のネジ穴５２Ｘとをネジ部材（図示略）で固定することで、取付対象２へのPO(F)型同軸コネクタ１Ｘの接続が完了する。
【００２９】
取付対象２における複数のネジ穴５２Ｘと複数のネジ穴５２Ｙの開口位置は、これらが互いにずれた位置にあれば、特に制限されず、適宜変更可能である。
図４Ａ及び図４Ｂに一例を示すように、導体挿入孔５１とネジ穴５２Ｘとを結ぶ仮想線Ｌと、導体挿入孔５１とネジ穴５２Ｙとを結ぶ仮想線Ｍとは、約４５°以外の角度でずれていても構わない。
図４Ａ及び図４Ｂに示す例では、導体挿入孔５１とネジ穴５２Ｘとを結ぶ仮想線Ｌと、導体挿入孔５１とネジ穴５２Ｙとを結ぶ仮想線Ｍとは、４５°未満の角度でずれている。
図４Ａ及び図４Ｂは図３Ａ及び図３Ｂに対応した図であり、同じ構成要素には同じ参照符号を付してある。
【００３０】
本実施形態では、取付対象２にPO(F)型同軸コネクタ１Ｘの規格に対応した複数のネジ穴５２Ｘと、SMA型同軸コネクタ１Ｙの規格に対応した複数のネジ穴５２Ｙとを設けているので、接続構造の設計変更なく、取付対象２に対して接続する同軸コネクタを、PO(F)型同軸コネクタ１ＸとSMA型同軸コネクタ１Ｙとの間で自由に選択し、変更することもできる。
したがって、本実施形態によれば、接続構造の設計変更なく、用いる同軸コネクタの規格を変更することが可能な同軸コネクタと取付対象との接続構造を提供することができる。
【００３１】
本実施形態の接続構造を送信増幅器の筺体と送受共用器(DUP)の筺体との接続に適用する場合、送信増幅器の筺体と送受共用器(DUP)の筺体との接続に用いる一対の同軸コネクタの規格を変更する、あるいは送信増幅器の筺体と送受共用器(DUP)の筺体との間に他の規格の同軸ケーブル等を用いるなどの規格変更を容易に実施することができる。したがって、規格変更にかかる作業時間と作業コストを低減することができる。
本実施形態また、PO(F)型同軸コネクタ１Ｘの規格に対応した複数のネジ穴５２Ｘと、SMA型同軸コネクタ１Ｙの規格に対応した複数のネジ穴５２Ｙとの開口位置が異なっているので、接続する同軸コネクタを変更することで、取付対象へのフランジ部の取付角度を変更することができ、同軸コネクタの接続方向等の変更も可能である。
【００３２】
上記実施形態では、図１Ａ及び図１Ｂに示したPO(F)型同軸コネクタ１Ｘ（ヒロセ電機社製PO(F)-PR-2(5.9)）、及び図２Ａ及び図２Ｂに示したSMA型同軸コネクタ１Ｙ（ヒロセ電機社製HRM(G)-300-433S(01)）を例に挙げて説明したが、取付対象２に接続可能な同軸コネクタの規格及びその数は適宜変更可能であり、接続したい同軸コネクタの規格及びその数に応じて取付対象２に開口されるネジ穴の数と開口位置が適宜設計される。
【００３３】
図５Ａ及び図５Ｂに示す例では、取付対象２に、PO(F)型同軸コネクタ１Ｘ（ヒロセ電機社製PO(F)-PR-2(5.9)）に対応した複数のネジ穴５２Ｘと、PO(F)型同軸コネクタ１Ｘよりもネジ穴の開口ピッチの大きい他の規格の同軸コネクタに対応した複数のネジ穴５２Ｚとが設けられている。
【００３４】
この例では、取付対象２において、導体挿入孔５１を中心として、複数のネジ穴５２Ｘの外側にネジ穴５２Ｚが開口されている。この例では、ネジ穴５２Ｘとネジ穴５２Ｚとの開口ピッチの差が比較的大きく、導体挿入孔５１とネジ穴５２Ｘとを結ぶ仮想線Ｌと、導体挿入孔５１とネジ穴５２Ｚとを結ぶ仮想線Ｎとは同じ角度方向となっており、かかる角度方向でもネジ穴５２Ｘとネジ穴５２Ｚとは充分に離間している。
【００３５】
図５Ａ及び図５Ｂは、図３Ａ及び図３Ｂに対応した図であり、同じ構成要素には同じ参照符号を付してある。この図では、寸法サイズを理解しやすくするため、取付部２Ｐの大きさを図３Ａ及び図３Ｂと同様の大きさで図示してある。実際には、取付部２Ｐはネジ穴５２Ｚも含めた領域である。
【００３６】
（設計変更）
本発明は上記実施形態に限らず、本発明の趣旨を逸脱しない範囲内において適宜設計変更が可能である。
【産業上の利用可能性】
【００３７】
本発明の接続構造は、携帯電話の基地局装置等に適用可能である。
【符号の説明】
【００３８】
１Ｘ、１Ｙ  同軸コネクタ
２  取付対象
２Ｐ  取付部
１０Ｘ、１０Ｙ  接続部
２０Ｘ、２０Ｙ  フランジ部
２１Ｘ、２１Ｙ  ネジ穴
３０Ｘ、３０Ｙ  中心導体
５１  導体挿入孔
５２Ｘ、５２Ｙ、５２Ｚ  ネジ穴
【図１Ａ】
2012230765.tif 000003
【図１Ｂ】
2012230765.tif 000004
【図２Ａ】
2012230765.tif 000005
【図２Ｂ】
2012230765.tif 000006
【図３Ａ】
2012230765.tif 000007
【図３Ｂ】
2012230765.tif 000008
【図４Ａ】
2012230765.tif 000009
【図４Ｂ】
2012230765.tif 000010
【図５Ａ】
2012230765.tif 000011
【図５Ｂ】
2012230765.tif 000012
【図６Ａ】
2012230765.tif 000013
【図６Ｂ】
2012230765.tif 000014
【図７Ａ】
2012230765.tif 000015
【図７Ｂ】
2012230765.tif 000016
【図８】
2012230765.tif 000017
【図９Ａ】
2012230765.tif 000018
【図９Ｂ】
2012230765.tif 000019